(57)【要約】      （修正有）【課題】節水化を図りつつ、横引排水配管内の異物堆積あるいは尿石付着などによる詰りを低減することができる横引排水配管洗浄ユニットおよび便器システムを提供する。【解決手段】勾配が設けられ複数の便器のそれぞれの排水口に接合される横引排水配管１６に接続される横引排水配管洗浄ユニット１００ａであって、複数の便器のうちで勾配の上流側に設置される便器と横引排水配管１６との接合部よりも上流側に設けられ水を貯留可能なタンク１０５と、タンク１０５の下流側かつ横引排水配管１６の上流側に配置され、タンク１０５から排出される水が最大瞬間流量を有する時間を長くする瞬間流量安定手段１４０と、を備えた。【選択図】図９
2014111878.tif 000002
【特許請求の範囲】
【請求項１】
勾配が設けられ複数の便器のそれぞれの排水口に接合される横引排水配管に接続される横引排水配管洗浄ユニットであって、
前記複数の便器のうちで前記勾配の上流側に設置される便器と前記横引排水配管との接合部よりも上流側に設けられ水を貯留可能なタンクと、
前記タンクの下流側かつ前記横引排水配管の上流側に配置され、前記タンクから排出される水が最大瞬間流量を有する時間を長くする瞬間流量安定手段と、
を備えたことを特徴とする横引排水配管洗浄ユニット。
【請求項２】
前記瞬間流量安定手段は、前記タンクから排出される水が前記最大瞬間流量の７０パーセント以上の瞬間流量を有する時間を長くすることを特徴とする請求項１記載の横引排水配管洗浄ユニット。
【請求項３】
前記瞬間流量安定手段は、前記タンクに接続されＵ字形状を有する第１の配管であることを特徴とする請求項１または２に記載の横引排水配管洗浄ユニット。
【請求項４】
上流側の端部が前記タンクに接続され下流側の端部が前記横引排水配管に接続された連絡配管をさらに備え、
前記瞬間流量安定手段は、前記連絡配管の一部に設けられ径を絞られた絞り部であることを特徴とする請求項１または２に記載の横引排水配管洗浄ユニット。
【請求項５】
上流側の端部が前記タンクに接続され下流側の端部が前記横引排水配管に接続された連絡配管をさらに備え、
前記瞬間流量安定手段は、前記連絡配管の一部に設けられた蛇腹状の蛇腹状配管部であることを特徴とする請求項１または２に記載の横引排水配管洗浄ユニット。
【請求項６】
上流側の端部が前記タンクに接続され下流側の端部が前記横引排水配管に接続された連絡配管と、
前記連絡配管に接続され空気を導く通気管と、
をさらに備え、
前記瞬間流量安定手段は、前記連絡配管と前記通気管との接続部に設けられ前記連絡配管の流路断面積を絞る傘状のカバー部であることを特徴とする請求項１または２に記載の横引排水配管洗浄ユニット。
【請求項７】
前記第１の配管と第１の接続部において接続され、空気を導く第２の配管と第２の接続部において接続され、上下方向に延在する第３の配管であって、一端が掃除口を有し、他端が第３の接続部において前記横引排水配管に接続される第３の配管をさらに備え、
前記上下方向の下方から上方へ向かって、前記第１の接続部と、前記第２の接続部と、前記掃除口と、がこの順に設けられたことを特徴とする請求項３記載の横引排水配管洗浄ユニット。
【請求項８】
前記第３の配管は、前記第１の接続部と、前記第２の接続部と、前記掃除口が設けられた部分と、に亘って直線状に形成されたことを特徴とする請求項７記載の横引排水配管洗浄ユニット。
【請求項９】
複数の便器と、
勾配が設けられ前記複数の便器のそれぞれの排水口に接合された横引排水配管と、
請求項１〜８のいずれか１つに記載の横引排水配管洗浄ユニットと、
前記複数の便器のそれぞれと前記タンクとに連結され水を供給する給水配管と、
を備えたことを特徴とする便器システム。
【発明の詳細な説明】
【技術分野】
【０００１】
本発明の態様は、一般的に、例えば小便器などが連立された空間における横引排水配管を洗浄する横引排水配管洗浄ユニットおよび便器システムに関する。
【背景技術】
【０００２】
例えば小便器の横引排水配管内では、１／５０や１／１００の勾配を有する重力流下式の排水形態が用いられている。便器から供給される洗浄水の水量については、最小限の水量まで節水化が図られている。そのため、わずかな水量で横引排水配管内の洗浄あるいは汚物の運搬が行われている。
【０００３】
例えば、便器の横引排水配管内に大量の水を流すことによって配管内にたまった汚物や異物、尿石などを押し流す汚物搬送システムがある（特許文献１）。また、排水管に加圧した水を流すことによって、異物を除去し、詰まりを防止する排水配管システムがある（特許文献２）。また、夜間の最初には高濃度又は大量の殺菌水を、その夜間の２回目以降はそれよりも低濃度又は少量の殺菌水を便器に供給する殺菌水供給機能付便器ユニットがある（特許文献３）。  
しかし、便器から供給される洗浄水の水量については限界まで節水化が図られているため、横引排水配管内において異物の堆積や尿石の発生が問題となる場合がある。
【０００４】
横引排水配管への尿石の付着のメカニズムは、例えば次の通りである。  
すなわち、便器に排尿がなされると、尿は横引排水配管へ流れ込む。すると、横引排水配管内の滞留水に尿が滞留する。このとき、節水化された便器では、尿は、排水によっては薄まらず、高濃度のままで横引排水配管内において滞留することとなる。  
一般に、便器や横引排水配管には、桿菌等の細菌が存在する。尿は、多量の尿素を含有する。横引排水配管内の滞留水に細菌が存在すると、尿素は、細菌の有する酵素ウレアーゼの作用によりアンモニアと二酸化炭素とに分解される。このとき、生成するアンモニア量が多いと、アンモニアは臭気の一因となる。また、アンモニアは、生成すると、横引排水配管内に付着した液体や便器内の滞留水に溶解する。すると、その液体のｐＨが上昇する。ｐＨが上昇すると、横引排水配管内に付着した液体や便器内の滞留水に含まれるカルシウムイオンは、炭酸塩やリン酸塩へと形態変化し析出する。析出した炭酸塩やリン酸塩は、尿石として横引排水配管内に付着して詰まりの原因となる。
【０００５】
また、横引排水配管内における異物の堆積や尿石の発生を抑えるため、高圧洗浄器による横引排水配管のメンテナンス作業が行われる場合がある。これに対して、横引排水配管のメンテナンス作業の低減や簡略化が望まれている。
【０００６】
さらに、小便器が設置された壁面の背面側にタンクが設けられた小便器システムがある（特許文献４）。特許文献４に記載された小便器システムでは、タンク内に溜められた洗浄水が定期的に横引排水配管内に流される。この場合において、洗浄水の瞬間流量は、タンクが設置された高さの位置エネルギーにより決まる。洗浄水のヘッドは、洗浄水がタンクから排出された後の時間の経過とともに下降する。そのため、洗浄水の最大瞬間流量は、放水の初期に発生する。その後、洗浄水の瞬間流量は、急激に低下する。
【０００７】
そのため、最大瞬間流量の洗浄水は、横引排水配管の上流側に対して寄与し、汚物や異物、尿石などを押し流す。一方で、洗浄水は、放水の初期に発生した最大瞬間流量よりも低下した流量で横引排水配管の下流側に到達する。そのため、横引排水配管の下流側にたまった汚物や異物、尿石などを洗浄水が押し流すことができないことがある。また、放水の後期の洗浄水の瞬間流量は、放水の初期の洗浄水の瞬間流量よりも低下している。そのため、放水の後期の洗浄水であっても、横引排水配管の下流側にたまった汚物や異物、尿石などを洗浄水が押し流すことができないことがある。
【０００８】
これに対して、タンクから排出する洗浄水の量を増やし瞬間流量を全体的に増やすことが、一策として考えられる。しかし、そうすると、タンクが大型化する。この点においては、改善の余地がある。また、節水の観点においても改善の余地がある。
【先行技術文献】
【特許文献】
【０００９】
【特許文献１】特開２００１−３０３６３９号公報
【特許文献２】特開２００８−２５２４５号公報
【特許文献３】特許第３４８０１７３号公報
【特許文献４】特開２０１０−１２１２７６号公報
【発明の概要】
【発明が解決しようとする課題】
【００１０】
本発明は、かかる課題の認識に基づいてなされたものであり、節水化を図りつつ、横引排水配管内の異物堆積あるいは尿石付着などによる詰りを低減することができる横引排水配管洗浄ユニットおよび便器システムを提供することを目的とする。
【課題を解決するための手段】
【００１１】
第１の発明は、勾配が設けられ複数の便器のそれぞれの排水口に接合される横引排水配管に接続される横引排水配管洗浄ユニットであって、前記複数の便器のうちで前記勾配の上流側に設置される便器と前記横引排水配管との接合部よりも上流側に設けられ水を貯留可能なタンクと、前記タンクの下流側かつ前記横引排水配管の上流側に配置され、前記タンクから排出される水が最大瞬間流量を有する時間を長くする瞬間流量安定手段と、を備えたことを特徴とする横引排水配管洗浄ユニットである。
【００１２】
この横引排水配管洗浄ユニットによれば、横引排水配管に供給される洗浄水の瞬間流量の経時変化の度合いは、瞬間流量安定手段により小さくなる。そのため、横引排水配管の下流側においても、比較的多い瞬間流量の洗浄水が流れる。そのため、横引排水配管の全体をより確実に洗浄することができる。これにより、比較的少ない流量の洗浄水で横引排水配管を洗浄することができ、タンクが大型化することを抑えることができる。
【００１３】
第２の発明は、第１の発明において、前記瞬間流量安定手段は、前記タンクから排出される水が前記最大瞬間流量の７０パーセント以上の瞬間流量を有する時間を長くすることを特徴とする横引排水配管洗浄ユニットである。
【００１４】
この横引排水配管洗浄ユニットによれば、横引排水配管に供給される洗浄水の瞬間流量の経時変化の度合いは、瞬間流量安定手段により小さくなる。そのため、最大瞬間流量自体も抑えることができる。そのため、配管内を満水にすることなく、異物堆積あるいは尿石が溜まる配管の下半分を効率よく洗浄することができる。これにより、比較的少ない流量の洗浄水で横引排水配管を洗浄することができ、タンクが大型化することを抑えることができる。
【００１５】
第３の発明は、第１または２の発明において、前記瞬間流量安定手段は、前記タンクに接続されＵ字形状を有する第１の配管であることを特徴とする横引排水配管洗浄ユニットである。
【００１６】
この横引排水配管洗浄ユニットによれば、横引排水配管洗浄ユニットが第１の配管を有していない場合と比較して、経時変化に対する瞬間流量の変化は、Ｕ字形状を有する第１の配管により小さくなる。そのため、比較的簡単な構造により横引排水配管の全体をより確実に洗浄することができる。また、Ｕ字形状を有する第１の配管により、悪臭や害虫類などがトイレ室などに侵入することを防止することができる。
【００１７】
第４の発明は、第１または２の発明において、上流側の端部が前記タンクに接続され下流側の端部が前記横引排水配管に接続された連絡配管をさらに備え、前記瞬間流量安定手段は、前記連絡配管の一部に設けられ径を絞られた絞り部であることを特徴とする横引排水配管洗浄ユニットである。
【００１８】
この横引排水配管洗浄ユニットによれば、水が通過するときの抵抗（通水抵抗）が絞りにおいて生ずる。これにより、経時変化に対する瞬間流量の変化を小さくすることができる。そのため、比較的簡単な構造により横引排水配管の全体をより確実に洗浄することができる。
【００１９】
第５の発明は、第１または２の発明において、上流側の端部が前記タンクに接続され下流側の端部が前記横引排水配管に接続された連絡配管をさらに備え、前記瞬間流量安定手段は、前記連絡配管の一部に設けられた蛇腹状の蛇腹状配管部であることを特徴とする横引排水配管洗浄ユニットである。
【００２０】
この横引排水配管洗浄ユニットによれば、水が通過するときの抵抗（通水抵抗）が蛇腹状配管部において生ずる。これにより、経時変化に対する瞬間流量の変化を小さくすることができる。そのため、比較的簡単な構造により横引排水配管の全体をより確実に洗浄することができる。
【００２１】
第６の発明は、第１または２の発明において、上流側の端部が前記タンクに接続され下流側の端部が前記横引排水配管に接続された連絡配管と、前記連絡配管に接続され空気を導く通気管と、をさらに備え、前記瞬間流量安定手段は、前記連絡配管と前記通気管との接続部に設けられ前記連絡配管の流路断面積を絞る傘状のカバー部であることを特徴とする横引排水配管洗浄ユニットである。
【００２２】
この横引排水配管洗浄ユニットによれば、連絡配管の流路断面積がカバー部により絞られる。これにより、経時変化に対する瞬間流量の変化を小さくすることができる。そのため、比較的簡単な構造により横引排水配管の全体をより確実に洗浄することができる。カバー部は、タンクから排出された水が連絡配管を通って横引排水配管へ流れるときに通気管へ進入することを抑制する。これにより、連絡配管と通気管との接続の設計の自由度を向上させることができる。
【００２３】
第７の発明は、第３発明において、前記第１の配管と第１の接続部において接続され、空気を導く第２の配管と第２の接続部において接続され、上下方向に延在する第３の配管であって、一端が掃除口を有し、他端が第３の接続部において前記横引排水配管に接続される第３の配管をさらに備え、前記上下方向の下方から上方へ向かって、前記第１の接続部と、前記第２の接続部と、前記掃除口と、がこの順に設けられたことを特徴とする横引排水配管洗浄ユニットである。
【００２４】
この排水配管洗浄ユニットによれば、横引排水管内の高圧洗浄時において、高圧洗浄器から噴射した高圧洗浄水が第３の配管の内部を通り掃除口から流出する場合でも、その高圧洗浄水が第１の接続部を通り第１の配管の内部へ流れることを抑制することができる。また、その高圧洗浄水が第２の接続部を通り第２の配管の内部へ流れることを抑制することができる。
【００２５】
第８の発明は、第７の発明において、前記第３の配管は、前記第１の接続部と、前記第２の接続部と、前記掃除口が設けられた部分と、に亘って直線状に形成されたことを特徴とする横引排水配管洗浄ユニットである。
【００２６】
この横引排水配管洗浄ユニットによれば、第１の接続部と、第２の接続部と、掃除口が設けられた部分と、が直線状に配置されるため、高圧洗浄水が第１の接続部を通り第１の配管の内部へ流れることをより抑制することができる。また、その高圧洗浄水が第２の接続部を通り第２の配管の内部へ流れることをより抑制することができる。
【００２７】
第９の発明は、複数の便器と、勾配が設けられ前記複数の便器のそれぞれの排水口に接合された横引排水配管と、請求項１〜８のいずれか１つに記載の横引排水配管洗浄ユニットと、前記複数の便器のそれぞれと前記タンクとに連結され水を供給する給水配管と、を備えたことを特徴とする便器システムである。
【００２８】
この便器システムによれば、横引排水配管の内部に滞留している異物を効率的に押し流し、横引排水配管の内部を効率的に洗浄することができる。  
また、横引排水管内の高圧洗浄時において、高圧洗浄器から噴射した高圧洗浄水が第３の配管の内部を通り掃除口から流出する場合でも、その高圧洗浄水が第１の接続部を通り第１の配管の内部へ流れることを抑制することができる。また、その高圧洗浄水が第２の接続部を通り第２の配管の内部へ流れることを抑制することができる。
【発明の効果】
【００２９】
本発明の態様によれば、節水化を図りつつ、横引排水配管内の異物堆積あるいは尿石付着などによる詰りを低減することができる横引排水配管洗浄ユニットおよび便器システムが提供される。
【図面の簡単な説明】
【００３０】
【図１】本発明の実施の形態にかかる横引排水配管洗浄ユニットを備える便器システムを表す模式図である。
【図２】本実施形態にかかる横引排水配管洗浄ユニットの要部構成を例示するブロック図である。
【図３】本実施形態にかかる横引排水配管洗浄ユニットの具体例を例示する模式図である。
【図４】本実施形態にかかる横引排水配管洗浄ユニットの具体例を例示する模式図である。
【図５】本実施形態にかかる横引排水配管洗浄ユニットの具体例を例示する模式図である。
【図６】本実施形態の横引排水配管の高圧洗浄の工程を例示するフローチャート図である。
【図７】横引排水配管の高圧洗浄に用いられる機器の具体例を例示する模式図である。
【図８】図４（ａ）に表した切断面Ａ−Ａにおける模式的断面図である。
【図９】本実施形態にかかる横引排水配管洗浄ユニットの他の具体例を例示する模式図である。
【図１０】トラップ配管接続部および通気管接続部の変形例を表す模式的断面図である。
【図１１】洗浄水の瞬間流量とトラップ配管の有無との関係を例示するグラフ図である。
【発明を実施するための形態】
【００３１】
以下、本発明の実施の形態について図面を参照しつつ説明する。なお、各図面中、同様の構成要素には同一の符号を付して詳細な説明は適宜省略する。  
図１は、本発明の実施の形態にかかる横引排水配管洗浄ユニットを備える便器システムを表す模式図である。  
図２は、本実施形態にかかる横引排水配管洗浄ユニットの要部構成を例示するブロック図である。  
図１（ａ）は、本実施形態にかかる便器システムを正面から眺めた模式的平面図である。図１（ｂ）は、本実施形態にかかる便器システムを左側方から眺めた模式的平面図である。
【００３２】
本発明の実施の形態にかかる便器システム１０は、ライニングユニット２０と、給水配管１３と、小便器１５と、横引排水配管１６と、洗浄フラッシュバルブ１７と、横引排水配管洗浄ユニット１００と、を備える。
【００３３】
ライニングユニット２０は、トイレ室の壁面３０に設置されている。小便器１５は、ライニングユニット２０の前面（壁面）２１に取り付けられている。  
なお、本実施形態にかかる便器システム１０は、小便器１５を備えることに限定されるわけではない。本実施形態にかかる便器システム１０は、小便器１５の代わりに大便器を備えていてもよい。以下の説明では、便器システム１０が小便器１５を備える場合を例に挙げる。  
給水配管１３と、横引排水配管１６と、洗浄フラッシュバルブ１７と、横引排水配管洗浄ユニット１００と、は、ライニングユニット２０の内部に設けられている。
【００３４】
本実施形態にかかる便器システム１０では、複数の小便器１５が連立して配置されている。複数の小便器１５のそれぞれの排水口は、図示しないフランジ及び配管部材を介して横引排水配管１６と接合部１８において接合されている。横引排水配管１６と小便器１５との接合部１８よりも上流側には、横引排水配管洗浄ユニット１００が設けられている。
【００３５】
図１（ａ）および図１（ｂ）に表した便器システム１０では、横引排水配管洗浄ユニット１００は、複数の小便器１５のうちで最左端に設けられた小便器１５の後方（裏側）に設けられている。  
本願明細書において、例えばトイレ室の床面などに対して水平な方向であって、小便器１５の正面に立った使用者からみて手前側を「前方」とし、奥側を「後方」とする。例えばトイレ室の床面などに対して水平な方向であって、小便器１５の正面に立った使用者からみて右側を「右側方」とし、左側を「左側方」とする。例えばトイレ室の床面などに対して垂直な鉛直方向であって、小便器１５の正面に立った使用者からみて上側を「上方」とし、下側を「下方」とする。
【００３６】
横引排水配管洗浄ユニット１００は、電磁弁１０１と、制御部１０３と、タンク１０５と、トラップ配管（第１の配管）１１０と、通気管（第２の配管）１２０と、接続配管（第３の配管）１３０と、を有する。給水配管１３は、タンク１０５および複数の小便器１５と連結しており、タンク１０５および複数の小便器１５のそれぞれに水を供給することが可能である。複数の小便器１５のそれぞれには、洗浄フラッシュバルブ１７が設けられている。
【００３７】
横引排水配管１６には、勾配が設けられている。図１（ａ）に表した横引排水配管１６では、複数の小便器１５のうちで最左端に設けられた小便器１５から最右端に設けられた小便器１５へ向かって下降する勾配が設けられている。そのため、図１に表した矢印Ａ１のように、小便器１５から供給された洗浄水は、複数の小便器１５のうちで最左端に設けられた小便器１５から最右端に設けられた小便器１５へ向かって流れる。なお、横引排水配管１６の勾配の方向は、これだけに限定されるわけではない。
【００３８】
横引排水配管１６の勾配を比較的大きく確保することができれば、異物や尿は、横引排水配管１６の底面に残り難い。また、尿由来の堆積物は、積層し難い。しかし、排水口が比較的低い位置に設けられた小便器１５を床上の横引排水配管１６で連接し、連接数をできるだけ多く確保するためには、所定以上の勾配を取ることは通常困難である。一般的な横引排水配管１６では、１／５０又は１／１００の勾配が設けられる。
【００３９】
横引排水配管洗浄ユニット１００は、連接して配置された複数の小便器１５のうちで最も上流側に設置された小便器１５の後方に設けられている。つまり、横引排水配管洗浄ユニット１００は、連接して配置された複数の小便器１５のうちで最も上流側に設置された小便器１５と横引排水配管１６との接合部１８よりも上流側に設けられている。
【００４０】
通常の小便器１５の使用時においては、所定のタイミングで洗浄フラッシュバルブ１７が開き、小便器１５のボウル面が洗浄される。このとき、電磁弁１０１は閉じた状態である。所定のタイミングは、例えば予め設定された時間間隔が経過するタイミングである。あるいは、所定のタイミングは、小便器１５の使用頻度をカウントして一定のカウントに達するタイミングであってもよい。あるいは、所定のタイミングは、小便器１５の１回の使用毎のタイミングであってもよい。
【００４１】
しかし、小便器１５から供給される洗浄水の水量の節水化を図ると、横引排水配管１６の内部において異物の堆積や尿石の発生が問題となる場合がある。また、横引排水配管１６の内部における異物の堆積や尿石の発生を抑えるため、高圧洗浄器による横引排水配管１６のメンテナンス作業が行われる場合がある。そのため、横引排水配管１６のメンテナンス作業の低減や簡略化が望まれている。
【００４２】
これに対して、本実施形態にかかる便器システム１０は、連接して配置された複数の小便器１５のうちで最も上流側に設置された小便器１５と横引排水配管１６との接合部１８よりも上流側に横引排水配管洗浄ユニット１００を備える。  
例えば、制御部１０３は、予め設定された設定時刻になると電磁弁１０１を開く。すると、給水配管１３からタンク１０５に水が供給される。タンク１０５に一定量の水が溜まると、ボールタップ１０５ａ（図２参照）のフロートが上がり、電磁弁１０１が閉じる。タンク１０５の容量は、例えば約８．５リットル程度である。なお、タンク１０５内の水位の検出および制御については、図示しないフロートスイッチを利用してもよい。
【００４３】
これにより、給水配管１３からタンク１０５への給水が停止する。給水が停止した後に、制御部１０３が洗浄レバー１０５ｂ（図２参照）を自動開閉する信号を出すと、タンク１０５に設けられた排水弁１０５ｃ（図２参照）が開く。これにより、タンク１０５に溜められた洗浄水が横引排水配管１６に供給される。この洗浄水の放水によって、横引排水配管１６の内部に滞留している異物を押し流すことができる。洗浄水の放水の回数は、横引排水配管洗浄ユニット１００の設置現場の状況に応じて設定可能であり、例えば約１〜１２回／日程度である。
【００４４】
図２に表したように、電磁弁１０１とタンク１０５との間の流路に殺菌水生成装置１０２が設けられた場合には、前述したタンク１０５からの放水に続いて、制御部１０３は、再度電磁弁１０１を開くとともに殺菌水生成装置１０２に殺菌水を生成させ、その殺菌水をタンク１０５に溜める。殺菌水生成装置１０２については、後に詳述する。
【００４５】
次に、本実施形態にかかる横引排水配管洗浄ユニット１００の具体例について、図面を参照しつつ説明する。  
図３〜図５は、本実施形態にかかる横引排水配管洗浄ユニットの具体例を例示する模式図である。  
図３および図４（ａ）は、本実施形態にかかる横引排水配管洗浄ユニットを前方から眺めた模式的平面図である。図４（ｂ）は、本実施形態にかかる横引排水配管洗浄ユニットを左側方から眺めた模式的平面図である。図４（ｃ）は、本実施形態にかかる横引排水配管洗浄ユニットを下方から眺めた模式的平面図である。図５（ａ）および図５（ｂ）は、本実施形態にかかる横引排水配管洗浄ユニットを斜め上方から眺めた模式的斜視図である。
【００４６】
図１および図２に関して前述したように、横引排水配管洗浄ユニット１００は、タンク１０５と、トラップ配管１１０と、通気管１２０と、接続配管１３０と、を有する。  
トラップ配管１１０の一端は、タンク１０５の下部に接続されている。トラップ配管１１０の他端は、トラップ配管接続部（第１の接続部）１１１において接続配管１３０に接続されている。トラップ配管１１０として、例えば「ＶＰ４０Ａ（ＪＩＳ規格）」などが用いられる。
【００４７】
図３および図４（ａ）に表したように、トラップ配管１１０は、屈曲部を有し、トラップ配管１１０自身の内部において封水を形成することができる。これにより、トラップ配管１１０は、例えば横引排水配管１６などから悪臭や害虫類などがトイレ室などに侵入することを防止することができる。
【００４８】
通気管１２０の一端は、通気管接続部（第２の接続部）１２１において接続配管１３０に接続されている。通気管１２０の他端は、図示しない通気立管を通り、例えば建屋の屋上において屋外に開放されている。通気管１２０は、例えば横引排水配管１６などからの悪臭を屋外に放出したり、あるいは屋外から空気を横引排水配管１６に導入することができる。
【００４９】
接続配管１３０の一端は、接続配管接続部（第３の接続部）１３４において横引排水配管１６に接続されている。接続配管１３０の他端は、掃除口１３１において開放されている。横引排水配管１６などの清掃時以外の通常の使用状態では、掃除口１３１は、蓋により閉じられている。作業者は、高圧洗浄器を用いて横引排水配管１６のメンテナンス作業を行う場合には、掃除口１３１に取り付けられた蓋を外し、高圧洗浄器を掃除口１３１から挿入する。これにより、横引排水配管１６のメンテナンス作業が行われる。接続配管１３０として、例えば「ＶＰ５０Ａ（ＪＩＳ規格）」などが用いられる。
【００５０】
横引排水配管１６としては、例えば「ＶＰ６５Ａ（ＪＩＳ規格）」〜「ＶＰ１００Ａ（ＪＩＳ規格）」などが用いられる。横引排水配管１６は、横引排水配管洗浄ユニット１００の設置現場の状況に応じて異なる。
【００５１】
ここで、横引排水配管１６の高圧洗浄について、図面を参照しつつ説明する。  
図６は、本実施形態の横引排水配管の高圧洗浄の工程を例示するフローチャート図である。  
図７は、横引排水配管の高圧洗浄に用いられる機器の具体例を例示する模式図である。  図７（ａ）は、機器清掃ワイヤの具体例を例示する模式的斜視図である。図７（ｂ）は、高圧洗浄ノズルの具体例を例示する模式的斜視図である。
【００５２】
図６に表したように、作業者は、横引排水配管１６の清掃（高圧洗浄）を行う前に、掃除口１３１から例えばファイバースコープなどを用いて横引排水配管１６の内部の状況を確認する（ステップＳ１０１）。作業者は、横引排水配管１６の内部の状況の確認を行うことにより、清掃の際に使用する機器などを適宜選定する。
【００５３】
続いて、作業者は、小便器１５をライニングユニット２０の前面２１から取り外す（ステップＳ１０３）。但し、作業者は、必ずしも小便器１５を取り外さなくともよい。
【００５４】
続いて、作業者は、横引排水配管１６の内部の状況に応じて例えば図７（ａ）に表した機器清掃ワイヤ１７０を用い、横引排水配管１６の内部を貫通させる、あるいは横引排水配管１６の内部の通りを改善する（ステップＳ１０５）。図７（ａ）に表したように、本具体例の機器清掃ワイヤ１７０は、可撓性のワイヤ１７１と、ワイヤ１７１の一端に設けられたヘッド１７３と、を有する。ヘッド１７３には、噴射口１７５が設けられている。
【００５５】
作業者は、機器清掃ワイヤ１７０を使用する場合には、掃除口１３１を通して接続配管１３０の内部へ機器清掃ワイヤ１７０のヘッド１７５を挿入する。機器清掃ワイヤ１７０は、噴射口１７５から図７（ａ）に表した矢印Ａ２の方向へ高圧水を噴射し、図７（ａ）に表した矢印Ａ３の方向へ進行する。これにより、機器清掃ワイヤ１７０は、横引排水配管１６の内部に付着した尿石などを除去し、横引排水配管１６の内部を貫通させることができる。このとき、噴射口１７５から噴射した水が接続配管１３０の内部を通り掃除口１３１から流出することがある。
【００５６】
続いて、作業者は、例えば図７（ｂ）に表した高圧洗浄ノズル１８０を用いて横引排水配管１６の内部を高圧洗浄する（ステップＳ１０７）。図７（ｂ）に表したように、本具体例の高圧洗浄ノズル１８０は、可撓性のホース１８１と、ホース１８１の一端に設けられたノズル部１８３と、を有する。
【００５７】
作業者は、掃除口１３１を通して接続配管１３０の内部へ高圧洗浄ノズル１８０を挿入する。このとき、作業者は、ノズル部１８３を先頭にして高圧洗浄ノズル１８０を接続配管１３０の内部へ挿入する。高圧洗浄時には、高圧洗浄水がノズル部１８３に設けられた図示しない噴射孔から噴射する。これにより、高圧洗浄ノズル１８０は、横引排水配管１６の内部に付着した尿石などを除去することができる。
【００５８】
続いて、作業者は、ステップＳ１０３に関して前述した工程において小便器１５を取り外していた場合には、小便器１５をライニングユニット２０の前面２１に取り付ける（ステップＳ１０９）。これで、本実施形態の横引排水配管１６の高圧洗浄が終了する（ステップＳ１１１）。
【００５９】
ステップＳ１０５に関して前述したように、機器清掃ワイヤ１７０は、噴射口１７５から高圧水を噴射する。ステップＳ１０７に関して前述したように、高圧洗浄ノズル１８０は、図示しない噴射孔から高圧洗浄水を噴射する。これらのタイミングの少なくともいずれかにおいて、噴射した水が接続配管１３０の内部を通り掃除口１３１から流出することがある。
【００６０】
これに対して、本具体例では、図３、図４（ａ）、図４（ｂ）、図５（ａ）および図５（ｂ）に表したように、トラップ配管接続部１１１は、通気管接続部１２１および掃除口１３１よりも下方に設けられている。掃除口１３１は、トラップ配管接続部１１１および通気管接続部１２１よりも上方に設けられている。通気管接続部１２１は、上下方向において、トラップ配管接続部１１１と掃除口１３１との間に設けられている。つまり、下方から上方へ向かって、トラップ配管接続部１１１と、通気管接続部１２１と、掃除口１３１と、がこの順に設けられている。
【００６１】
これによれば、高圧洗浄時において、高圧洗浄器から噴射した高圧洗浄水が接続配管１３０の内部を通り掃除口１３１から流出する場合でも、その高圧洗浄水がトラップ配管接続部１１１を通りトラップ配管１１０の内部へ流れることを抑制することができる。また、その高圧洗浄水が通気管接続部１２１を通り通気管１２０の内部へ流れることを抑制することができる。
【００６２】
また、図４（ａ）、図５（ａ）および図５（ｂ）に表したように、接続配管１３０は、トラップ配管接続部１１１と、通気管接続部１２１と、掃除口１３１が設けられた部分と、に亘って略上下方向に延在し、略直線状に形成されている。これによれば、高圧洗浄水がトラップ配管接続部１１１を通りトラップ配管１１０の内部へ流れることをより抑制することができる。また、その高圧洗浄水が通気管接続部１２１を通り通気管１２０の内部へ流れることをより抑制することができる。
【００６３】
図８は、図４（ａ）に表した切断面Ａ−Ａにおける模式的断面図である。  
図３、図４（ａ）、図５（ａ）および図５（ｂ）に表したように、接続配管１３０は、下端部において屈曲部１３３を有する。接続配管１３０は、屈曲部１３３において略直角に屈曲し、接続配管接続部１３４において横引排水配管１６に接続されている。そのため、接続配管１３０は、略水平方向において、あるいは横引排水配管１６の軸方向と略平行方向において、横引排水配管１６に接続されている。
【００６４】
図３〜図５に関して前述したように、接続配管１３０として、例えば「ＶＰ５０Ａ（ＪＩＳ規格）」などが用いられる。横引排水配管１６として、例えば「ＶＰ６５Ａ（ＪＩＳ規格）」〜「ＶＰ１００Ａ（ＪＩＳ規格）」などが用いられる。つまり、図８に表したように、接続配管１３０の内径は、横引排水配管１６の内径より小さい。具体的には、接続配管接続部１３４のうちで屈曲部１３３に接続された部分の内径は、接続配管接続部１３４のうちで横引排水配管１６に接続された部分の内径よりも小さい。つまり、接続配管接続部１３４は、相対的に上流側（掃除口１３１の側）の内径が相対的に下流側（横引排水配管１６の側）の内径よりも小さい絞り部を有する。
【００６５】
これによれば、タンク１０５から放水された洗浄水は、接続配管接続部１３４において流速をより高められ、横引排水配管１６に導かれる。これにより、横引排水配管１６の内部に滞留している異物を効率的に押し流し、横引排水配管１６の内部を効率的に洗浄することができる。また、前述したように、接続配管１３０は、略水平方向において、あるいは横引排水配管１６の軸方向と略平行方向において、横引排水配管１６に接続されている。そのため、接続配管接続部１３４において圧力損失が生ずることを抑え、タンク１０５から放水された洗浄水の流速が接続配管接続部１３４において減速することを抑えることができる。これにより、横引排水配管１６の内部に滞留している異物をより効率的に押し流し、横引排水配管１６の内部をより効率的に洗浄することができる。
【００６６】
また、図８に表したように、接続配管１３０の中心軸１３０ｃは、横引排水配管１６の中心軸１６ｃから下方へ偏心している。これによれば、タンク１０５から放水された洗浄水は、横引排水配管１６の内部の底部あるいは底面を効率的に流れる。そのため、横引排水配管１６の内部の底部あるいは底面に滞留している異物を効率的に押し流し、横引排水配管１６の内部の底部あるいは底面を効率的に洗浄することができる。
【００６７】
連接して配置された複数の小便器１５のうちで最も上流側に設置された小便器１５（図１に表した便器システム１０では最左端の小便器１５）の排水口よりも上流側の横引排水配管１６の上流側内部１６ａ（図３参照）には、小便器１５から供給される洗浄水が到達しにくい。そのため、本実施形態にかかる横引排水配管洗浄ユニット１００が設けられていない場合には、横引排水配管１６の上流側内部１６ａには、異物の堆積や尿石が発生しやすい。
【００６８】
これに対して、本実施形態にかかる横引排水配管洗浄ユニット１００によれば、横引排水配管１６の上流側内部１６ａに対して、より高い流速を有する洗浄水がタンク１０５から供給される。これにより、横引排水配管１６の上流側内部１６ａにおいても、異物を効率的に押し流し、横引排水配管１６の上流側内部１６ａを効率的に洗浄することができる。
【００６９】
次に、本実施形態にかかる横引排水配管洗浄ユニット１００の他の具体例について、図面を参照しつつ説明する。  
図９は、本実施形態にかかる横引排水配管洗浄ユニットの他の具体例を例示する模式図である。  
図９（ａ）は、本実施形態にかかる横引排水配管洗浄ユニットを前方から眺めた模式的平面図である。図９（ｂ）は、本実施形態にかかる横引排水配管洗浄ユニットを左側方から眺めた模式的平面図である。
【００７０】
本具体例の横引排水配管洗浄ユニット１００ａは、タンク１０５と、トラップ配管（瞬間流量安定手段）１１０と、通気管１２０と、接続配管１３０と、を有する。タンク１０５、トラップ配管１１０および通気管１２０は、図１〜図５に関して前述した通りである。トラップ配管１１０は、略Ｕ字形状を有し、トラップ配管１１０自身の内部において封水を形成することができる。
【００７１】
本具体例では、トラップ配管１１０からトラップ配管接続部１１１および接続配管１３０を通り接続配管接続部１３４までの配管を「連絡配管１５０」と称する。連絡配管１５０は、一端部においてタンク１０５と接続され、他端部において横引排水配管１６と接続されている。
【００７２】
図９（ａ）および図９（ｂ）に表したように、本具体例の接続配管１３０は、絞り部（瞬間流量安定手段）１３５と、蛇腹状配管部（瞬間流量安定手段）１３７と、を有する。絞り部１３５は、連絡配管１５０の一部に設けられている。具体的には、絞り部１３５は、接続配管１３０の一部に設けられている。絞り部１３５の径は、絞り部１３５以外の部分の接続配管１３０の径よりも小さい。言い換えれば、絞り部１３５は、接続配管１３０のうちの絞り部１３５以外の部分の径よりも絞られた径を有する。
【００７３】
蛇腹状配管部１３７は、連絡配管１５０の一部に設けられている。具体的には、蛇腹状配管部１３７は、接続配管１３０の一部に設けられている。図９（ａ）および図９（ｂ）に表した具体例では、蛇腹状配管部１３７は、接続配管１３０のうちで絞り部１３５と屈曲部１３３との間に設けられている。蛇腹状配管部１３７は、蛇腹状を呈する。蛇腹状配管部１３７は、例えばゴムなどの弾性を有する弾性体により形成されている。但し、蛇腹状配管部１３７の材料は、これだけに限定されない。
【００７４】
図１および図２に関して前述したように、タンク１０５に溜められた洗浄水は、所定のタイミングで横引排水配管１６に供給される。横引排水配管１６に供給された洗浄水は、横引排水配管１６の内部に滞留している異物を押し流す。このとき、洗浄水の瞬間流量は、タンク１０５が設置された高さの位置エネルギーにより決まる。洗浄水のヘッドは、洗浄水がタンク１０５から排出された後の時間の経過とともに下降する。そのため、洗浄水の最大瞬間流量は、放水の初期に発生する。その後、洗浄水の瞬間流量は、急激に低下する。
【００７５】
そのため、最大瞬間流量の洗浄水は、横引排水配管１６の上流側に対して寄与し、異物や尿石などを押し流す。一方で、洗浄水は、放水の初期に発生した最大瞬間流量よりも低下した流量で横引排水配管１６の下流側に到達する。そのため、横引排水配管１６の下流側にたまった異物や尿石などを洗浄水が押し流すことができないことがある。また、放水の後期の洗浄水の瞬間流量は、放水の初期の洗浄水の瞬間流量よりも低下している。そのため、放水の後期の洗浄水であっても、横引排水配管１６の下流側にたまった異物や尿石などを洗浄水が押し流すことができないことがある。
【００７６】
これに対して、本具体例の横引排水配管洗浄ユニット１００ａは、瞬間流量安定手段１４０を有する。瞬間流量安定手段１４０は、タンク１０５よりも下流側かつ横引排水配管１６よりも上流側に配置されている。瞬間流量安定手段１４０は、タンク１０５から排出される洗浄水が最大瞬間流量を有する時間を長くする。また、瞬間流量安定手段１４０は、タンク１０５から排出される洗浄水の瞬間流量の変化率（本具体例では低下率）を低くくする。
【００７７】
これによれば、横引排水配管１６に供給される洗浄水の瞬間流量の経時変化の度合いは、瞬間流量安定手段１４０により小さくなる。そのため、横引排水配管１６の下流側においても、比較的多い瞬間流量の洗浄水が流れる。そのため、横引排水配管１６の全体をより確実に洗浄することができる。これにより、比較的少ない流量の洗浄水で横引排水配管１６を洗浄することができ、タンク１０５が大型化することを抑えることができる。
【００７８】
具体的には、本具体例の横引排水配管洗浄ユニット１００ａは、トラップ配管１１０、絞り部１３５および蛇腹状配管部１３７の少なくともいずれかを有する。
【００７９】
横引排水配管洗浄ユニット１００ａがトラップ配管１１０を有する場合には、横引排水配管洗浄ユニット１００ａがトラップ配管１１０を有していない場合と比較して、経時変化に対する瞬間流量の変化は、略Ｕ字形状を有するトラップ配管１１０により小さくなる。そのため、比較的簡単な構造により横引排水配管１６の全体をより確実に洗浄することができる。また、略Ｕ字形状を有するトラップ配管１１０により、悪臭や害虫類などがトイレ室などに侵入することを防止することができる。
【００８０】
横引排水配管洗浄ユニット１００ａが絞り部１３５を有する場合には、洗浄水が通過するときの抵抗（通水抵抗）が絞り１３５において生ずる。これにより、経時変化に対する瞬間流量の変化を小さくすることができる。そのため、比較的簡単な構造により横引排水配管１６の全体をより確実に洗浄することができる。
【００８１】
横引排水配管洗浄ユニット１００ａが蛇腹状配管部１３７を有する場合には、洗浄水が通過するときの抵抗（通水抵抗）が蛇腹状配管部１３７において生ずる。これにより、経時変化に対する瞬間流量の変化を小さくすることができる。そのため、比較的簡単な構造により横引排水配管１６の全体をより確実に洗浄することができる。
【００８２】
図１０は、トラップ配管接続部および通気管接続部の変形例を表す模式的断面図である。  
図１０は、接続配管１３０の内部構造を表し、図９（ｂ）に表した切断面Ｂ−Ｂにおける断面図に相当する。
【００８３】
図９に関して前述した具体例と同様に、本変形例では、トラップ配管１１０からトラップ配管接続部１１１および接続配管１３０を通り接続配管接続部１３４までの配管を「連絡配管１５０」と称する。
【００８４】
図３〜図５に関して前述した具体例では、トラップ配管接続部１１１が通気管接続部１２１よりも下方に設けられている一方で、図１０に表した本変形例では、トラップ配管接続部１１１が通気管接続部１２１よりも上方に設けられている。つまり、通気管１２０は、連絡配管１５０に接続されている。図１０に表したように、通気管接続部１２１には、カバー部（瞬間流量安定手段）１３９が設けられている。カバー部１３９は、傘状を呈する。つまり、カバー部１３９は、通気管接続部１２１の上方および側方を覆っている。
【００８５】
図１０に表したように、カバー部１３９が設けられた部分の接続配管１３０の流路断面積は、カバー部１３９が設けられていない部分の接続配管１３０の流路断面積よりも狭い。言い換えれば、カバー部１３９が設けられた部分は、カバー部１３９が設けられていない部分の接続配管１３０の流路断面積よりも絞られた流路断面積を有する。
【００８６】
本変形例によれば、接続配管１３０の流路断面積がカバー部１３９により絞られる。これにより、経時変化に対する瞬間流量の変化を小さくすることができる。そのため、比較的簡単な構造により横引排水配管１６の全体をより確実に洗浄することができる。カバー部１３９は、タンク１０５から排出された洗浄水がトラップ配管１１０および接続配管１３０を通って横引排水配管１６へ流れるときに通気管１２０へ進入することを抑制する。これにより、トラップ配管１１０と接続配管１３０との接続および通気管１２０と接続配管１３０との接続の設計の自由度を向上させることができる。
【００８７】
図１１は、洗浄水の瞬間流量とトラップ配管の有無との関係を例示するグラフ図である。  
図１１に表したグラフ図の縦軸は、タンク１０５から排出された洗浄水の瞬間流量（リットル／分：Ｌ／ｍｉｎ）を表す。図１１に表したグラフ図の横軸は、洗浄水がタンク１０５から排出されてから経過した時間（秒）を表す。
【００８８】
本発明者は、トラップ配管１１０が設けられた場合と設けられていない場合とにおいて、洗浄水の瞬間流量の変化を実験により求めた。実験結果の一例は、図１１に表した通りである。すなわち、図１１に表した実験結果の一例によれば、トラップ配管１１０が設けられていない場合の最大瞬間流量Ｆ１は、約２５０Ｌ／ｍｉｎ程度である。一方で、トラップ配管１１０が設けられた場合の最大瞬間流量Ｆ２は、約１２０Ｌ／ｍｉｎ程度である。
【００８９】
図１１に表したように、トラップ配管１１０が設けられていない場合では、洗浄水が最大瞬間流量Ｆ１を有する時間は、一瞬である。一方で、トラップ配管１１０が設けられた場合では、洗浄水が最大瞬間流量Ｆ２を有する時間ｔ２は、約０．３秒間程度である。つまり、トラップ配管１１０が設けられた場合に洗浄水が最大瞬間流量Ｆ２を有する時間ｔ２は、トラップ配管１１０が設けられていない場合に洗浄水が最大瞬間流量Ｆ１を有する時間よりも長い。これにより、トラップ配管１１０は、タンク１０５から排出される洗浄水が最大瞬間流量を有する時間を長くできることが分かる。
【００９０】
洗浄水のヘッドは、洗浄水がタンク１０５から排出された後の時間の経過とともに下降する。そのため、洗浄水の瞬間流量は、放水の初期に発生し、その後に低下する。図１１に表したように、トラップ配管１１０が設けられた場合の瞬間流量の低下率は、トラップ配管１１０が設けられていない場合の瞬間流量の低下率よりも低い。つまり、トラップ配管１１０が設けられた場合において瞬間流量が低下する度合い（勾配）は、トラップ配管１１０が設けられていない場合において瞬間流量が低下する度合い（勾配）よりも緩やかである。
【００９１】
これによれば、横引排水配管１６に供給される洗浄水の瞬間流量の経時変化の度合いは、トラップ配管１１０により小さくなる。そのため、横引排水配管１６の下流側においても、比較的多い瞬間流量の洗浄水が流れる。そのため、横引排水配管１６の全体をより確実に洗浄することができる。
【００９２】
また、トラップ配管１１０が設けられた場合の最大瞬間流量Ｆ２は、トラップ配管１１０が設けられていない場合の最大瞬間流量Ｆ１よりも少ない。そのため、トラップ配管１１０が設けられた場合には、最大瞬間流量の洗浄水が横引排水配管１０を流れるときでも、洗浄水は、横引排水配管１６の内部の底部あるいは底面を効率的に流れる。さらに、トラップ配管１１０が設けられた場合には、トラップ配管１１０が設けられていない場合と比較して、洗浄水は、より長い時間をかけて流れる。そのため、トラップ配管１１０が設けられた場合には、横引排水配管１６の内部の底部あるいは底面に滞留している異物を効率的に押し流し、横引排水配管１６の内部の底部あるいは底面を効率的に洗浄することができる。
【００９３】
図１１に表した実験結果の一例によれば、トラップ配管１１０が設けられていない場合には、洗浄水が最大瞬間流量Ｆ１の７０％以上の瞬間流量を有する時間ｔ３は、約０．７秒間程度である。一方で、トラップ配管１１０が設けられた場合には、洗浄水が最大瞬間流量Ｆ２の７０％以上の瞬間流量を有する時間ｔ４は、約３秒間程度である。つまり、トラップ配管１１０が設けられた場合に洗浄水が最大瞬間流量Ｆ２の７０％以上の瞬間流量を有する時間ｔ４は、トラップ配管１１０が設けられいない場合に洗浄水が最大瞬間流量Ｆ１の７０％以上の瞬間流量を有する時間ｔ３よりも長い。これにより、トラップ配管１１０は、洗浄水が最大瞬間流量の７０％以上の瞬間流量を有する時間を長くできることが分かる。
【００９４】
これによれば、横引排水配管１６に供給される洗浄水の瞬間流量の経時変化の度合いは、トラップ配管１１０により小さくなる。そのため、最大瞬間流量自体も抑えることができる。そのため、横引排水配管１６内を満水にすることなく、異物堆積あるいは尿石が溜まる横引排水配管１６の下半分を効率よく洗浄することができる。これにより、比較的少ない流量の洗浄水で横引排水配管１６を洗浄することができ、タンクが大型化することを抑えることができる。
【００９５】
例えば、横引排水配管１６の内径は、約６８ミリメートル（ｍｍ）である。この場合には、横引排水配管１６の断面積は、３６３２ｍｍ２である。横引排水配管１６の下半分を占める断面積は、１８１６ｍｍ２である。  
最大瞬間流量Ｆ２（約１２０Ｌ／ｍｉｎ程度）の７０％の瞬間流量は、約８４Ｌ／ｍｉｎ程度である。そのため、約８４Ｌ／ｍｉｎ程度以上の瞬間流量を有する洗浄水が横引排水配管１６内を約３秒間流れる。つまり、４．２×１０６ｍｍ３以上の体積の洗浄水が横引排水配管１６内を流れる。そのため、トラップ配管１１０が設けられた場合には、横引排水配管１６の内部の底部あるいは底面を効率的に洗浄することができる。
【００９６】
次に、タンク１０５から洗浄水を放水するタイミングあるいは回数について説明する。  図１および図２に関して前述したように、タンク１０５から洗浄水を放水する回数は、横引排水配管洗浄ユニット１００の設置現場の状況に応じて設定可能であり、例えば約１〜１２回／日程度である。
【００９７】
あるいは、例えば、制御部１０３は、予め設定された設定時刻になるとタンク１０５に設けられた排水弁１０５ｃ（図２参照）を開き、タンク１０５に貯留された洗浄水を放水する。  
制御部１０３に予め設定する設定時刻としては、小便器１５を使用する使用者が途絶える時間帯の所定時刻が挙げられる。小便器１５の使用頻度が高い時間帯にタンク１０５からの洗浄を行なって異物を除去したとしても、洗浄後すぐに別の異物が横引排水配管１６内に滞留する可能性がある。この場合には、一日に複数回の洗浄が必要となる為、節水の観点からは非効率的である。また、小便器１５の使用者が途絶える時間帯には、小便器１５の洗浄の行われないため、横引排水配管１６の内部への水の供給がなくなる。すると、尿分溜りが長時間同じ状態で放置される。これにより、細菌の活動が活発化し、尿石の積層速度が早まる恐れがある。異物が残った状態では、異物が障害物となる。そのため尿を含む汚水が異物近傍に長時間滞留することとなり、尿石の原因となる恐れがある。そこで、使用者が途絶える時間帯に入った後にタンク１０５から横引排水配管１６に向けて洗浄水を放水することで、横引排水配管１６内の異物を除去することができる。これにより、使用者が途絶える時間帯には、横引排水配管１６内を清浄な状態に保つことができる。
【００９８】
例えば、横引排水配管洗浄ユニット１００の設置場所が例えば駅舎のような場所であれば、終電から始発までの間の時間帯は使用者が途絶える。そのため、終電後の所定時刻にタンク１０５からの洗浄水の供給を行なうことで、滞留した異物を除去することができる。これにより、節水の観点からも尿石防止の観点からも効果的な横引排水配管１６の洗浄を行なうことができる。  
横引排水配管洗浄ユニット１００の設置場所が例えば商業施設であれば、閉店から開店までの間の時間帯に使用者が途絶える。横引排水配管洗浄ユニット１００の設置場所が例えば学校であれば、放課後から登校時間までの間の時間帯に使用者が途絶える。横引排水配管洗浄ユニット１００の設置場所が例えば会社であれば、終業から始業の間の時間帯に使用者が途絶える。これらの時間帯において、異物を除去することができる。
【００９９】
横引排水配管洗浄ユニット１００が殺菌水生成装置１０２（図２参照）を有する場合には、長時間にわたり横引排水配管１６内に尿や洗浄水が流れこまないため、殺菌水による殺菌された状態を長時間保つことが可能となり、効果的である。
【０１００】
次に、本実施形態にかかる横引排水配管洗浄ユニット１００が殺菌水生成装置１０２を有する場合について説明する。  
図２に関して前述したように、横引排水配管洗浄ユニット１００は、殺菌水生成装置１０２を有していてもよい。殺菌水生成装置１０２として、例えば電解装置などが用いられる。例えば、殺菌水生成装置１０２として電解装置が用いられる場合において、制御部１０３は、電磁弁１０１を開くと同時に殺菌水生成装置１０２の電極間に通電を行うことで殺菌力を持った殺菌水を生成しタンク１０５に溜める。タンク１０５に一定量の殺菌水が溜まると、ボールタップ１０５ａ（図２参照）のフロートが上がり、電磁弁１０１が閉じる。これとともに、制御部１０３は、電極間への通電を停止する。次に、制御部１０３は、タンク１０５の排水弁１０５ｃを開き、殺菌水を横引排水配管１６に供給する。これにより、横引排水配管１６の内面を殺菌水でコーティングすることができる。また、残存していた菌を死滅させることができ、再び使用者が来るまでの間に汚れの元が形成されることを阻止することができる。
【０１０１】
本願明細書における殺菌水は、殺菌作用をもつ液体であればどのようなものでもよい。その一例として、前述した電解装置により発生するイオンを有する殺菌水が挙げられる。また、発生させる殺菌水の一例としては、水道水中に残存する塩素を利用するものが挙げられる。
【０１０２】
殺菌水の例としては、遊離塩素含有水以外にも、結合塩素（例えばモノクロラミン、ジクロラミン等）を含む水、オゾン含有水（例えば、無声放電による生成オゾンの水への溶解或いは水の電気分解による水中でのオゾン生成により得られたオゾン含有水）、抗菌性金属イオン（例えば銀イオン、銅イオン、亜鉛イオン等）を含む水等（ＰＣＴ／ＪＰ９５／０１６５０）を利用するものが挙げられる。
【０１０３】
遊離塩素含有水を殺菌水として用いる場合には、遊離塩素の濃度は、０．１ｍｇ／リットル以上であることがより好ましい。遊離塩素の濃度は、０．５ｍｇ／リットル以上であるとさらに好ましい。これによれば、横引排水配管１６の内部の滞留水や横引排水配管１６の内面を充分に殺菌することができる。これにより、生菌の作用に基づくウレアーゼの増加および固着効果を有効に抑制することができる。また、アンモニアの溶解によるｐＨの上昇が抑制されて尿石の付着を抑制することができるとともに、臭気の一因を抑制することができる。
【０１０４】
さらに、オゾン含有水を殺菌水として用いる場合には、オゾン含有水中のオゾン濃度は、０．０１ｍｇ／リットル以上であることがより好ましい。オゾン含有水中のオゾン濃度は、０．０５ｍｇ／リットル以上であるとさらに好ましい。これによれば、横引排水配管１６の内部の滞留水や横引排水配管１６の内面を充分に殺菌することができる。これにより、遊離塩素含有水を殺菌水として用いる場合と同様の効果が得られる。
【０１０５】
抗菌性金属イオンが銀イオンである場合において、銀イオン濃度は、１μｇ／リットル以上であることがより好ましい。銀イオン濃度は、１０μｇ／リットル以上であるとさらに好ましい。これによれば、小便器１５の内部の滞留水に銀イオンを含む液体を混合し、所定時間維持することにより、横引排水配管１６の内部の滞留水を有効に殺菌することができる。これにより、遊離塩素含有水を殺菌水として用いる場合と同様の効果が得られる。
【０１０６】
ここで、抗菌性金属イオンについては、遊離塩素やオゾンと比較して、瞬時の接触による殺菌能力が低い一方で、抗菌寿命が長い。そのため、抗菌性金属イオンは、作用時間を長くかけることにより優れた抗菌性を有する。そのため、横引排水配管１６の内部の滞留水に所定時間維持する態様で抗菌性金属イオンを含む水を使用すれば、少量の殺菌水で生菌を減少させ、尿石の付着等を抑制することができる。
【０１０７】
他の殺菌水およびその生成方法としては、タンク１０５の中へ殺菌作用をもつ薬剤を混入させる方式などが挙げられる。
【０１０８】
抗菌性金属イオンを水中で電解混入させる場合において、殺菌に必要な濃度を溶出するためには、混入する水の流速が大きいほど大きな電流を電極間に印加させる必要がある。タンク１０５の内部に殺菌水を貯留するシステムを取ることで、小さな流速で電解させることが可能であり、電気エネルギーも最小限に抑えることが可能である。  
また、薬剤を混入する場合においても、流水へ薬剤を混入するよりも確実に一定濃度の溶液が得られる。
【０１０９】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、便器システム１０および横引排水配管洗浄ユニット１００などが備える各要素の形状、寸法、材質、配置などや小便器１５およびタンク１０５の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１１０】
１０ 便器システム、  １３ 給水配管、  １５ 小便器、  １６ 横引排水配管、  １６ａ 上流側内部、  １６ｃ 中心軸、  １７ 洗浄フラッシュバルブ、  ２０ ライニングユニット、  ２１ 前面、  ３０ 壁面、  １００ 横引排水配管洗浄ユニット、  １０１ 電磁弁、  １０２ 殺菌水生成装置、  １０３ 制御部、  １０５ タンク、  １０５ａ ボールタップ、  １０５ｂ 洗浄レバー、  １０５ｃ 排水弁、  １１０ トラップ配管、  １１１ トラップ配管接続部、  １２０ 通気管、  １２１ 通気管接続部、  １３０ 接続配管、  １３０ｃ 中心軸、  １３１ 掃除口、  １３３ 屈曲部、  １３４ 接続配管接続部、  １７０ 機器清掃ワイヤ、  １７１ ワイヤ、  １７３ ヘッド、  １８０ 高圧洗浄ノズル、  １８１ ホース、  １８３ ヘッド部
【図１】
2014111878.tif 000003
【図２】
2014111878.tif 000004
【図３】
2014111878.tif 000005
【図４】
2014111878.tif 000006
【図５】
2014111878.tif 000007
【図６】
2014111878.tif 000008
【図７】
2014111878.tif 000009
【図８】
2014111878.tif 000010
【図９】
2014111878.tif 000011
【図１０】
2014111878.tif 000012
【図１１】
2014111878.tif 000013